(57)【要約】【課題】コンパクトで、処理水中の浮上物質の浮上分離の効率が高く、浮上分離に要する時間を短縮可能な重力分離装置を提供する。【解決手段】重力分離構造体３１に達した処理水は、各傾斜流路３２内で油分が浮上分離される。すなわち、各傾斜流路３２内で上昇した油分は、その上壁用の傾斜分離板３の下面に沿って除々に上昇し、傾斜流路３２の上側開口から浮上通路ａへ移動する。その後、浮上通路ａを上昇して重力分離構造体３１の上方へ排出される。その結果、重力分離装置５０のコンパクト化が図れるとともに、処理水中の油分の浮上分離の効率が高まり、浮上分離に要する時間を短縮できる。また、浮上通路ａには阻流部材５が流水方向へ所定ピッチで設けられたので、浮上通路ａでの油分の垂直な上昇が処理水により阻害され難い。【選択図】図１
2009165906.tif 000002
【特許請求の範囲】
【請求項１】
処理水より比重が小さい浮上物質を含む処理水の流入口とこの処理水の流出口とが離間して配設された分離槽と、
該分離槽内の前記処理水の流路途中に設けられ、前記処理水中の浮上物質を比重差により分離する重力分離構造体とを備えた重力分離装置において、
前記重力分離構造体は、前記処理水の流水方向に直交する面内で、流水方向から視て左側部と右側部と中央部とから構成され、
前記左側部は、複数枚の傾斜分離板が、隣接する該傾斜分離板間に前記処理水が流通する傾斜流路を形成し、かつ右端が左端より上方となる傾斜状態で上下方向へ平行に積層された第１傾斜分離板群からなり、
前記右側部は、複数枚の傾斜分離板が、隣接する該傾斜分離板間に前記傾斜流路を形成し、左端が右端より上方となる傾斜状態で上下方向へ平行に積層された第２傾斜分離板群からなり、
前記中央部は、前記第１傾斜分離板群の傾斜流路内および前記第２傾斜分離板群の傾斜流路内で、比重差により浮上分離した浮上物質が上昇する浮上通路からなり、
該浮上通路には、前記処理水が流水方向から該浮上通路へ流入するのを阻止する阻流部材が配置された重力分離装置。
【請求項２】
前記処理水中には、該処理水より比重が大きい沈降物質が含まれ、
前記重力分離構造体は、流水方向から視て前記左側部の左側に別の左側部を有するとともに、流水方向から視て前記右側部の右側に別の右側部を有し、
前記別の左側部は前記第２傾斜分離板群で、
前記別の右側部は前記第１傾斜分離板群で、
前記左側部と前記別の左側部との間および前記右側部と前記別の右側部との間には、前記各傾斜通路内で沈降分離した沈降物質が下降する沈降通路がそれぞれ形成され、
該各沈降通路には、前記処理水が流水方向から該沈降通路へ流入するのを阻止する別の阻流部材が配置された請求項１に記載の重力分離装置。
【発明の詳細な説明】
【技術分野】
【０００１】
この発明は重力分離装置、詳しくは物質の比重差を利用し、処理水中の物質を固液分離または気液分離する重力分離装置に関する。
【背景技術】
【０００２】
工場や施設などから排出される各種の排水中には、雑多な固形物粒子とともに油脂分が混入されている場合がある。また、温泉などの地下水には砂とともに有害ガスも含まれる。そのため、貯留池を築造して排水や温泉をいったん貯留し、ここで排水中の油脂分や温泉中の有害ガスを比重差を利用して浮上分離（重力分離）する技術が知られている（特許文献１など）。
【特許文献１】特開昭５４−８５４７４号公報
【発明の開示】
【発明が解決しようとする課題】
【０００３】
しかしながら、このような貯留池を築造しての重力分離方法では、広い用地を確保する必要があり、しかも貯留池を築造する期間が長いという課題があった。
【０００４】
そこで、この発明は、コンパクトで、かつ処理水中から浮上物質を浮上分離する効率が高まり、浮上分離に要する時間を短縮することができる重力分離装置を提供することを目的としている。
また、この発明は、浮上分離だけでなく、処理水中から沈降物質を沈降分離する効率が高まり、沈降分離に要する時間も短縮することができる重力分離装置を提供することを目的としている。
【課題を解決するための手段】
【０００５】
請求項１に記載の発明は、処理水より比重が小さい浮上物質を含む処理水の流入口とこの処理水の流出口とが離間して配設された分離槽と、該分離槽内の前記処理水の流路途中に設けられ、前記処理水中の浮上物質を比重差により分離する重力分離構造体とを備えた重力分離装置において、前記重力分離構造体は、前記処理水の流水方向に直交する面内で、流水方向から視て左側部と右側部と中央部とから構成され、前記左側部は、複数枚の傾斜分離板が、隣接する該傾斜分離板間に前記処理水が流通する傾斜流路を形成し、かつ右端が左端より上方となる傾斜状態で上下方向へ平行に積層された第１傾斜分離板群からなり、前記右側部は、複数枚の傾斜分離板が、隣接する該傾斜分離板間に前記傾斜流路を形成し、左端が右端より上方となる傾斜状態で上下方向へ平行に積層された第２傾斜分離板群からなり、前記中央部は、前記第１傾斜分離板群の傾斜流路内および前記第２傾斜分離板群の傾斜流路内で、比重差により浮上分離した浮上物質が上昇する浮上通路からなり、該浮上通路には、前記処理水が流水方向から該浮上通路へ流入するのを阻止する阻流部材が配置された重力分離装置である。
【０００６】
請求項１に記載の発明によれば、流入口から分離槽に流入した処理水は、分離槽内で重力分離構造体を通過し、その後、流出口から排出される。このとき、重力分離構造体内では、第１傾斜分離板群および第２傾斜分離板群の各傾斜流路で処理水の流れが層流状態に保たれる。その結果、処理水より比重が小さい浮上物質は、各傾斜流路内で上昇し、その傾斜流路の上壁となる傾斜分離板の下面にいったん付着する。その後、この付着した浮上物質は、周辺の浮上物質と接して順次まとまりながら前記傾斜分離板の下面に沿って除々に上昇する。そして、傾斜流路の上側開口から浮上通路に流入し、浮上通路を上昇して重力分離構造体の上方へ排出され、分離槽の水面まで浮上する。このように作用する構成で重力分離装置を設けたので、重力分離装置のコンパクト化が図れ、しかも処理水中から浮上物質を浮上分離する効率が高まり、浮上分離に要する時間も短縮される。
また、浮上通路に阻流部材を設けたので、流水方向から浮上通路へ流れ込む処理水を阻止する。これにより、浮上通路中での浮上物質の垂直な上昇が、上流から重力分離構造体へ流れ込んだ処理水により阻害され難い。
【０００７】
なお、分離槽のうち、重力分離構造体の上方位置に、処理水の水面まで達した浮上物質を滞留させる浮上物質滞留枠体を設ければ、浮上物質滞留枠体内に滞留した浮上物質を簡単に回収することができる。
また、浮上物質が気体の場合には、分離槽の上部開口を蓋体により塞いで気密化し、負圧発生装置（バキューム装置）などを使用して分離槽内を減圧することで、気体である浮上物質の回収がさらに容易になる。
重力分離装置とは、物質の比重差を利用し、処理水に含まれる浮上物質を浮上させて分離する装置である。
浮上物質とは、処理水に混入された水より比重が軽い物質である。具体的には、各種の油脂分、各種のガス成分などが挙げられる。
処理水としては、例えば、石油精製工場の油分を含む冷却排水、機械装置の油分を含む冷却水などが挙げられる。
【０００８】
分離槽の形状は、例えば平面視して矩形状のものなどを採用することができる。この分離槽における流入口および流出口の形成位置は、例えば分離槽の長さ方向の両端の側板としてもよい。
「分離槽内の処理水の流路途中」とは、分離槽の内部空間において、処理水が流入口から流出口まで流れる途中の流路部分をいう。流路は、直線的なものでも曲がったものでもよい。
傾斜分離板の形状は、例えば平面視して矩形状の平板などを採用することができる。
第１傾斜分離板群および第２傾斜分離板群を構成する傾斜分離板の枚数はそれぞれ任意である。
【０００９】
重力分離構造体を構成する第１傾斜分離板群および第２傾斜分離板群の使用数（並設数）は、少なくとも１つずつあれば任意である。第１傾斜分離板群の使用数と、第２傾斜分離板群の使用数は同じでも、異なってもよい。第１傾斜分離板群と第２傾斜分離板群との並設方向は、処理水の流水方向に直交する方向である。
第１傾斜分離群および第２傾斜分離群において、左右の傾斜分離板は、上下方向の高さを揃えても、揃えずに千鳥足状に配置してもよい。
傾斜流路とは、上下一対の平行な傾斜分離板（例えば矩形状の板）に挟まれ、処理水が通水する通路である。傾斜流路では、処理水の流水方向にその上流側の開口と下流側の開口とが配置される。また、傾斜流路では、処理水の流水方向に直交する面内で一端が他端より上方に配置される。したがって、傾斜流路の一端面に下側開口が形成され、傾斜流路の他端面に上側開口が形成される。
【００１０】
浮上通路とは、左側部の第１傾斜分離板群と右側部の第２傾斜分離板群との間に形成され、浮上物質が浮上する垂直な通路である。浮上通路の形成方法としては、例えば左側部の第１傾斜分離板群と右側部の第２分離板群とを、分離槽の壁面に互いに所定間隔をあけて固定する方法を採用することができる。その他、線材、板材などを連結材に使用し、左側部の第１傾斜分離板群と右側部の第２傾斜分離板群とを連結する方法を採用することができる。
阻流部材としては、例えば板片、棒材（丸棒、角棒など）を採用することができる。阻流部材の使用数は、１つでも２つ以上でもよい。
【００１１】
前記請求項２に記載の発明は、前記処理水中には、該処理水より比重が大きい沈降物質が含まれ、前記重力分離構造体は、流水方向から視て前記左側部の左側に別の左側部を有するとともに、流水方向から視て前記右側部の右側に別の右側部を有し、前記別の左側部は前記第２傾斜分離板群で、前記別の右側部は前記第１傾斜分離板群で、前記左側部と前記別の左側部との間および前記右側部と前記別の右側部との間には、前記各傾斜通路内で沈降分離した沈降物質が下降する沈降通路がそれぞれ形成され、該各沈降通路には、前記処理水が流水方向から該沈降通路へ流入するのを阻止する別の阻流部材が配置された請求項１に記載の重力分離装置である。
【００１２】
請求項２に記載の発明によれば、重力分離構造体内で流れが層流状態に保たれた処理水は、各傾斜分離板群の各傾斜流路内で沈降し、その傾斜流路の下壁となる傾斜分離板の上面に落下する。その後、沈降物質は傾斜分離板の上面を転がり、最終的には傾斜流路の下側開口を通過して沈降通路に流れ込む。そして、この沈降通路中を落下し、重力分離構造体の下方へ排出される。これにより、請求項１の発明の効果（浮上物質の浮上分離）だけでなく、沈降物質の沈降分離も高い効率で行うことができる。
また、各沈降通路に別の阻流部材を設けたので、流水方向から沈降通路へ処理水が流入するのを阻止することができる。これにより、沈降通路中での沈降物質の垂直な下降が、上流から重力分離構造体へ流れ込んだ処理水により阻害され難い。
なお、分離槽のうち、重力分離構造体の下方部分に沈降物質を受ける例えばホッパ形状の沈降物貯留部を設ければ、沈降通路から排出された沈降物質が先細り化した下端部に集積し、その回収が容易になる。
【００１３】
沈降物質とは、処理水に混入された、処理水より比重が重い物質をいう。具体的には、砂、各種の金属屑、各種のプラスチック屑などを採用することができる。
浮上性物質と沈降性物質とがともに含まれる処理水としては、例えば、油分および金属屑（プラスチック屑）を含む各種の金属加工装置または各種のリサイクル装置からの洗浄排水や冷却排水、魚肉類処理工場の排水、食品加工場の排水、自動車修理工場やガソリンスタンドの洗車排水、温泉の源泉などが挙げられる。
沈降通路とは、左側部の第１傾斜分離板群と別の左側部の第２傾斜分離板群との間に形成され、沈降物質が下降する垂直な通路である。沈降通路の形成方法としては、例えば左側部の第１傾斜分離板群と別の左側部の第２分離板群とを、分離槽の壁面に互いに所定間隔をあけて固定する方法を採用することができる。その他、線材、板材などを連結材に使用し、左側部の第１傾斜分離板群と別の左側部の第２傾斜分離板群とを連結する方法を採用することができる。
別の阻流部材としては、例えば請求項１で使用された粗流部材と同じものを採用することができる。別の阻流部材の使用数は、１つでも２つ以上でもよい。
【発明の効果】
【００１４】
請求項１に記載の発明によれば、重力分離構造体を、左側部の第１傾斜分離板群と中央部の浮上通路と右側部の第２傾斜分離板群とにより構成したので、重力分離構造体に達した処理水中の浮上物質は各傾斜流路内を上昇し、その上壁用の傾斜分離板の下面に沿って除々に上昇し、傾斜流路の上側開口から浮上通路へ移動する。その後、浮上物質は浮上通路を上昇し、重力分離構造体からその上方へ排出される。その結果、重力分離装置のコンパクト化が図れるとともに、処理水から浮上物質を浮上分離する効率が高まり、この浮上分離に要する時間を短縮することができる。
また、浮上通路に阻流部材を設けたので、流水方向から浮上通路へ処理水が流入するのを阻止することができる。これにより、浮上通路内の浮上物質の垂直な上昇が処理水により阻害され難い。
【００１５】
請求項２に記載の発明によれば、重力分離構造体として、左側部の左側に別の左側部を設けるとともに、右側部の右側に別の右側部を設けたので、重力分離構造体内で流れが層流状態に保たれた処理水は、各傾斜分離板群の各傾斜流路内で沈降物質が沈降し、その傾斜流路の下壁となる傾斜分離板の上面に沈降物質が落下する。その後、沈降物質は傾斜分離板の上面を転がり、最終的には傾斜流路の下側開口を通過して沈降通路に流れ込む。それから、この沈降通路中を沈降物質が落下し、重力分離構造体の下方へ排出される。これにより、請求項１の発明の効果だけでなく、沈降物質の沈降分離を高い効率で行うことができる。
また、各沈降通路に別の阻流部材を設けたので、流水方向から沈降通路へ処理水が流入するのを阻止することができる。これにより、沈降通路内の沈降物質の垂直な落下が処理水により阻害され難い。
【００１６】
以上の効果に加えて、請求項１および請求項２に記載の発明の場合には、処理液の分離槽への流量を調整することで、浮上性物質の分離精度の調整、および、沈降性物質の粒子サイズの調整が容易になる。そのため、この発明を、各種の生産工程やリサイクル工場における重力分離に利用すれば好適である。また、大きい動力を要する遠心分離機、被処理液の加圧を要するサイクロン分離やフィルタ分離に代えて使用すれば、省エネ効果も得られる。
【発明を実施するための最良の形態】
【００１７】
以下、この発明の実施例を具体的に説明する。まず、図１〜図４を参照して、この発明の実施例１を説明する。なお、図１中の破断線ｍ〜破断線ｎの間を除く領域は、図２中のＡ−Ａ位置での重力分離構造体の断面を示す。図１中の破断線ｍ〜破断線ｎの間の領域は、図２中のＢ−Ｂ位置での重力分離構造体の断面を示す。
【実施例１】
【００１８】
図１および図２において、５０はこの発明の実施例１に係る重力分離装置で、この重力分離装置５０は、処理水の流入口３５とこの処理水の流出口８とが離間して配設された分離槽１と、分離槽１内の処理水の流路途中に設けられ、処理水中の浮上物質を比重差により分離する重力分離構造体３１とを備えている。重力分離装置５０は、各傾斜分離板３の間に形成された処理水の傾斜流路３２で処理水の流れを層流状態に保つことにより、処理水に混入され、かつ処理水より比重が小さい油分（浮上物質）を、処理水から浮上分離する。処理水は、工場から排出された油分を含む水（工場排水）である。
【００１９】
以下、これらの構成部品を詳細に説明する。
分離槽１は、平面視して処理水の流れ方向（装置長さ方向）に長い矩形状で、かつ側面視して下底より上底の方が長い台形状の水槽である。分離槽１の本体部分（水槽部分）は、４本脚の架台１３により支持されている。分離槽１の上面の開口は、中央部に排気管９が連通された蓋体２により塞がれている。分離槽１の上端部の上流側には、処理水（原水）のオーバーフロー管１０が底板に連通されたオーバーフロー部３６が形成されている。分離槽１の上端部の上流側付近には、蓋体２の上流側部分から延びて、処理水を分離槽１内に供給する原水管７が設けられている。原水管７の下流口が前記流入口３５である。また、分離槽１の上端部の下流側には、底板の一部に浄水管３８の端面が連通された浄水受け部３７が形成されている。浄水管３８の下流口が前記流出口８である。
【００２０】
分離槽１の長さ方向の中間部は、重力分離構造体３１の収納部である。収納部の上流側には、上端が水面上に配置されるメッシュ状の整流板１２が垂直に立設されている。収納部の下流側には、上端が水面上に配置される正面視して矩形状の枠板（油分滞留枠体）６が垂直に立設されている。重力分離構造体３１は、整流板１２と枠板６との間に収納されている。
【００２１】
次に、図１〜図４を参照して、重力分離構造体３１を詳細に説明する。
図１〜図４に示すように、重力分離構造体３１は、処理水の流水方向に直交する面内で、左側部と右側部と中央部とに３分割したものを１ブロックとし、これを４ブロック、それぞれ処理水の流水方向に直交する方向（左右方向）へ平行に連結した構造を有している。
各左側部は、多数枚の傾斜分離板３が、隣接する傾斜分離板３と傾斜分離板３との間に処理水が流通する傾斜流路３２を形成し、かつ右端が左端より上方となる傾斜状態で上下方向へ平行に積層された第１傾斜分離板群３０Ａである。各右側部は、多数枚の傾斜分離板３が、隣接する傾斜分離板３と傾斜分離板３との間に傾斜流路３２を形成し、左端が右端より上方となる傾斜状態で上下方向へ平行に積層された第２傾斜分離板群３０Ｂである。各中央部は、第１傾斜分離板群３０Ａの傾斜流路３２内および第２傾斜分離板群３０Ｂの傾斜流路３２内で、比重差により浮上分離した油分が上昇する浮上通路ａである。浮上通路ａには、処理水が流水方向から浮上通路ａへ流入するのを阻止する多数枚の阻流部材５が、処理水の流水方向へ所定ピッチで配置されている。ここでの粗流部材５は正面視して矩形状の板片である。１つの粗流部材５とこれにより連結された左右１枚ずつの傾斜分離板３とからなる、正面視してハの字形状の構成体を１つのエレメント（図４，図５）とする。したがって、各ブロックは、多数のエレメントを上下に連結した多層エレメント構造体である。
【００２２】
各ブロック間において、第１傾斜分離板群３０Ａの各傾斜分離板３の下端と、第２傾斜分離板群３０Ｂの各傾斜分離板３の下端とは、１枚の平坦で大判の連結板１４を介して、突き合わせ状態で連結されている。
各傾斜分離板３の積層ピッチは２５ｍｍ、各傾斜分離板３の傾斜角度は、水平面を基準として４５°である。また、各傾斜分離板３の上端には、この傾斜分離板３を下壁とする傾斜流路３２の上側開口の上部ｇを除いた部分を塞ぐ、垂直方向に延びた上向きスカート部ｅがそれぞれ形成されている。
【００２３】
次に、図１〜図４を参照して、この発明の実施例１に係る重力分離装置５０による処理水の重力分離方法を説明する。
図１〜図４に示すように、原水管７の流入口３５から分離槽１の上流部に供給された処理水は、まず、分離槽１の上流部から中央部へ移動する際に、多孔質の整流板１２により整流される。整流後の処理水は、分離槽１の内部空間の中央部において、重力分離構造体３１の上流側へ供給される。そして、処理水が重力分離構造体３１を通過する際に、処理水中から油分が浮上分離されて浄水となる。その後、浄水は分離槽１の下流部でオーバーフローして浄水受け部３７に落下し、浄水管３８の流出口８から分離槽１の外へ排出される。
【００２４】
このとき、重力分離構造体３１では、各第１傾斜分離板群３０Ａの傾斜流路３２内および各第２傾斜分離板群３０Ｂの傾斜流路３２内で、処理水の流れが層流状態に保たれる。その結果、処理水より比重が小さい油分は、これらの傾斜流路３２内で上昇し、その傾斜流路３２の上壁となる傾斜分離板３の下面にいったん付着する。その後、この付着した油分は、周辺の油分と順次まとまって大粒化を繰り返しながら、傾斜分離板３の下面に沿って除々に上昇する。それから、傾斜流路３２の上向きスカート部ｅにより塞がれていない上側開口の上部ｇを通り、浮上通路ａへと流入する。その後、油分は各上向きスカート部ｅをガイドにして浮上通路ａ内を上昇し、重力分離構造体３１の上方へ排出され、最終的に処理水の水面のうち、整流板１２の上端部と枠板６の上端部とにより仕切られた油分滞留領域ｆに滞留する。その結果、ここに滞留した油分を、のちに作業者による手作業または吸引機による吸引により簡単に回収することができる。
なお、浮上物質が油分でなくガスの場合には、分離槽１を蓋体２により気密的に塞ぎ、負圧発生装置の吸引部と排気管９とをホースにより連通し、負圧発生装置を作動させて分離槽１内を減圧すれば、ガスの回収がさらに容易となる。
【００２５】
このように、隣り合う両傾斜分離板群３０Ａ，３０Ｂにおいて、一方の傾斜分離板群３０Ａの各傾斜分離板３の上端と、他方の傾斜分離板群３０Ｂの各傾斜分離板３の上端とを、浮上通路ａを中間に介して並設し、各傾斜分離板３の上端に上向きスカート部ｅを形成したので、重力分離装置５０のコンパクト化が図れるとともに、処理水中から油分を浮上分離する効率が高まり、この浮上分離に要する時間を短縮することができる。
また、浮上通路ａに多数枚の阻流部材５を流水方向へ所定ピッチで設けたので、処理水が流水方向から浮上通路ａへ流入するのを阻止することができる。これにより、浮上通路ａにおける油分の垂直な上昇が処理水により阻害され難い。
【実施例２】
【００２６】
次に、図５〜図８を参照して、この発明の実施例２に係る重力分離装置５０Ａを説明する。なお、図５中の破断線ｉより左側の領域は、図６中のＤ−Ｄ位置での断面を示す。図５中の破断線ｊより右側の領域は、図６中のＦ−Ｆ位置での断面を示す。図５中の破断線ｉ〜破断線ｊの間の領域は、図６中のＥ−Ｅ位置での断面を示す。
図５〜図８に示す実施例２の重力分離装置５０Ａにおいては、処理水として、切削加工機から排出された油分と金属粉（沈降物質）とが混在する切削液が採用されている。また、分離槽２１の中央部の底部には、中空の下向き角錐形状の沈降物貯留部ｃが連設されている。沈降物貯留部ｃの最下端部には、貯留した金属粉を排出する弁付きの貯留物排出管１１が連通されている。
【００２７】
さらに、重力分離構造体３１は、実施例１中の左側部の左側に別の左側部を有するとともに、実施例１中の右側部の右側に別の右側部を有した構造としている。別の左側部は第２傾斜分離板群３０Ｂで、別の右側部は第１傾斜分離板群３０Ａである。ただし、この構造は、実施例１にも採用されている（図２）。また、左側部と別の左側部との間および右側部と別の右側部との間には、各傾斜通路３２内で沈降分離した金属粉が下降する沈降通路ｂがそれぞれ形成されている。各沈降通路ｂには、処理水が流水方向から沈降通路ｂへ流入するのを阻止する別の阻流部材４が、処理水の流水方向に所定ピッチで多数枚配置されている。別の粗流部材４は、正面視して矩形状の板片である。実施例２の粗流部材２５としては、重力分離構造体３１の高さと略同じ長さの角棒が採用されている。また、各傾斜分離板２３の下端には、この傾斜分離板２３を上壁とする傾斜流路３２の下側開口の下部ｈを除いた部分を塞ぐ、下向きスカート部ｄがそれぞれ形成されている。
【００２８】
実施例２の重力分離装置５０Ａを用いた処理水の重力分離方法によれば、重力分離構造体３１まで達した処理水は、各傾斜流路３２内で金属粉が沈降し、その傾斜流路３２の下壁となる傾斜分離板２３の上面に落下する。その後、金属粉は傾斜分離板２３の上面を転がり、下向きスカート部ｄによって塞がれていない傾斜流路３２の下側開口の下部ｈを通過し、沈降通路ｂに流れ込む。その後、金属粉は沈降通路ｂを落下し、重力分離構造体３１の下方へ排出されて沈降物貯留部ｃに貯留される。
【００２９】
これにより、油分の浮上分離と同時に、処理水中の金属粉を高い効率で沈降分離（重力分離）することができる。また、各沈降通路ｂに多数枚の別の阻流部材４を流水方向へ所定ピッチで設けたので、流水方向から沈降通路ｂへ処理水が流入するのを阻止することができる。これにより、沈降通路ｂの金属粉の垂直な落下が処理水により阻害され難い。さらに、各傾斜分離板３に下向きスカート部ｄを設けたことで、沈降通路ｂが各傾斜通路３２から一部を除いて略完全に分離される。そのため、傾斜流路３２の下側の開口から沈降通路ｂへの油分の流れ込みを防止するとともに、落下中の金属粉が沈降通路ｂから傾斜流路３２へ飛び出すのを防止することができる。さらに、上向きスカート部ｅを設けたので、浮上通路ａが各傾斜通路３２から一部を除いて略完全に分離される。その結果、傾斜流路３２の上側の開口から浮上通路ａへ金属粉が流れ込むのを防止できるとともに、浮上中の油分が浮上通路ａから傾斜流路３２へ飛び出すのを防止することができる。
その他の構成、作用および効果は、実施例１から推測可能な範囲であるので、説明を省略する。
【実施例３】
【００３０】
次に、図９および図１０を参照して、実施例３に係る重力分離装置５０Ｂを説明する。
図９および図１０に示す重力分離装置５０Ｂは、実施例２の構造の重力分離装置５０Ｂをベースにして、各傾斜分離板２３Ａを厚肉化し、かつ上面が平坦な各傾斜分離板２３Ａの下面全域に、傾斜分離板２３Ａの幅方向へ波状に連なる半円溝５５を形成した点を特徴としている。
実施例３の重力分離装置５０Ｂを用いた処理水の重力分離方法によれば、重力分離構造体３１に達した処理水は、各傾斜流路３２内で金属粉が沈降し、その傾斜流路３２の下壁となる傾斜分離板２３Ａの上面に落下する。このとき、傾斜分離板２３Ａの上面は平坦である。その結果、金属粉は傾斜分離板２３Ａの上面を円滑に転がり落ちる。
【００３１】
一方、各傾斜流路３２内では油分が浮上し、その傾斜流路３２の上壁となる傾斜分離板２３Ａの下面に油分が付着する。このとき、傾斜分離板２３Ａの下面には半円溝５５が形成されている。そのため、傾斜分離板２３Ａの下面の表面積が大きくなり、油分の付着量が増大する。しかも、半円溝５５の側壁面に付着した油分は、近接する油分と順次まとまって大粒化しながら半円溝５５の中央部へ集まり、ここで周辺の別の油粒とさらにまとまることでより大粒化し、その浮力を増大させる。以上のことから、実施例２の場合と対比して、金属粉（沈降物質）の回収率は同程度の高さを維持しつつ、油分（浮上物質）の回収効率をさらに高めることができる。しかも、傾斜分離板２３Ａの裏面形状を他の形状（例えば平面視して円形の凹凸形状）にして、傾斜分離板の裏面の表面積をこの傾斜分離板２３Ａと同程度まで増大させた場合に比べて、半円溝５５が設けられている分、傾斜流路３２の下面に沿った油分の移動効率が高まり、その油分の浮上分離時間を短縮することができる。
その他の構成、作用および効果は、実施例２から推測可能な範囲であるので、説明を省略する。
【図面の簡単な説明】
【００３２】
【図１】この発明の実施例１に係る重力分離装置の装置長さ方向に平行な面に沿った縦断面図である。
【図２】この発明の実施例１に係る重力分離装置の装置幅方向に平行な面に沿った縦断面図である。
【図３】図２のＣ部分の拡大断面図である。
【図４】（イ）は、実施例１に係る重力分離装置の傾斜分離板群を構成するエレメントの正面図である。（ロ）は、図４（イ）のＥ−Ｅ断面図である。
【図５】この発明の実施例２に係る重力分離装置の装置長さ方向に平行な面に沿った縦断面図である。
【図６】この発明の実施例２に係る重力分離装置の装置幅方向に平行な面に沿った縦断面図である。
【図７】図６のＧ部分の拡大断面図である。
【図８】（ハ）は、実施例２に係る重力分離装置の傾斜分離板群を構成するエレメントの正面図である。（ニ）は、図８（ハ）のＨ−Ｈ断面図である。
【図９】この発明の実施例３に係る重力分離装置の一部を構成する傾斜分離板の要部斜視図である。
【図１０】この発明の実施例３に係る重力分離装置の一部を構成する傾斜分離板の使用状態を示す要部拡大縦断面図である。
【符号の説明】
【００３３】
１，２１  分離槽、
３，２３，２３Ａ  傾斜分離板、
４  別の粗流部材、
５，２５  粗流部材、
８  流出口、
３０Ａ  第１傾斜分離板群、
３０Ｂ  第２傾斜分離板群、
３１  重力分離構造体、
３２  傾斜流路、
３５  流入口、
５０，５０Ａ，５０Ｂ  重力分離装置、
ａ  浮上通路、
ｂ  沈降通路、
ｅ  上向きスカート部、
ｄ  下向きスカート部。
【図１】
2009165906.tif 000003
【図２】
2009165906.tif 000004
【図３】
2009165906.tif 000005
【図４】
2009165906.tif 000006
【図５】
2009165906.tif 000007
【図６】
2009165906.tif 000008
【図７】
2009165906.tif 000009
【図８】
2009165906.tif 000010
【図９】
2009165906.tif 000011
【図１０】
2009165906.tif 000012